(57)【要約】【課題】  磁極面１３に対し垂直方向の振動が生じた時、静磁波素子の磁極間のギャップ長の変動を減少させることにより安定した発振周波数を得ることを目的とする。【解決手段】  静磁波発振装置の内部に組み込まれている磁石の一方の極に付けた磁極片と、他方の極に外部ヨークを経由して接続した磁極片とを設け、これらの一方及び他方の磁極片の間にギャップを設けた静磁波発振装置であって、該静磁波発振装置を設置する基板の実装面に対して、前記磁極片の面が略垂直方向となるように前記基板に取り付けられることを特徴とする静磁波発振装置の取付方法であって、垂直方向の振動に対して、静磁波素子の発振周波数の変動を抑制することができ、安定した発振特性を得ることのできる静磁波発振装置の取付方法を提供することができる。【選択図】      図１
2005191754.tif 000002
【特許請求の範囲】
【請求項１】
静磁波発振装置の内部に組み込まれている磁石の一方の極に付けた磁極片と、他方の極に外部ヨークを経由して接続した磁極片とを設け、これらの一方及び他方の磁極片の間にギャップを設けた静磁波発振装置であって、
該静磁波発振装置を設置する基板の実装面に対して、前記磁極片の面が略垂直方向となるように前記基板に取り付けられることを特徴とする静磁波発振装置の取付方法。
【請求項２】
静磁波発振装置の内部に組み込まれている磁石の一方の極に付けた磁極片と、他方の極に外部ヨークを経由して接続した磁極片とを設け、これらの一方及び他方の磁極片の間にギャップを設けた静磁波発振装置と、
該静磁波発振装置を設置する基板とより構成される無線装置であって、
前記基板の実装面に対して、前記磁極片の面が略垂直方向となるように前記基板に取り付けられることを特徴とする無線装置。
【請求項３】
上記請求項２の無線装置は、車両に搭載され、当該車両の移動による上下方向の振動による前記ギャップの変動が生じ難いことを特徴とする無線装置。
【発明の詳細な説明】
【技術分野】
【０００１】
本発明は、フェリ磁性共鳴を利用した静磁波発振装置の取付方法及びその静磁波発振装置を組み込んだ無線装置に関するものである。
【背景技術】
【０００２】
図４は、従来の静磁波発振装置の一例を示す。
図４において、１は静磁波素子、２は発振回路基板、５は永久磁石、６はギャップ（空隙）、７は励磁コイル、８は外部ヨーク、９は磁界、１０は銅板、１１はマイクロストリップライン、１２は基板、１４は上部磁極、１５は下部磁極である。
【０００３】
永久磁石５により発生される磁界９（図中では模式的に複数の点線で表わす。）を、前記永久磁石５の一方の極に付けた下部磁極１５と、前記永久磁石５の他極に外部ヨーク８を経由して付けた上部磁極１４との間のギャップ６（矢印が示す間隔）に集中させ、静磁波素子１を前記ギャップ６内の発振回路基板２上に配置し、前記静磁波素子１による発振信号を銅板１０を経由してマイクロストリップライン１１により取り出すことで静磁波発振装置を形成する。
【０００４】
ここで、前記静磁波素子１による発振周波数は、前記静磁波素子１に印加される磁界の強さに依存し、磁界の強さは、前記ギャップ６の距離に依存するため、前記静磁波素子１により一定の発振周波数を得るには、前記ギャップ６の距離を一定に保つ必要がある。
また、静磁波発振装置に使用される静磁波素子１には、ＧＧＧ（ガドリニウム・ガリウム・ガーネット）非磁性単結晶基板上に、フェリ磁性体であるＹＩＧ（イットリウム・鉄・ガーネット）薄膜を液相エピタキシャル成長させた素子が一般的に用いられる。
【０００５】
前記した従来の静磁波発振装置の回路は、フッ素樹脂基板等の上に設けられたマイクロストリップライン等を伝送線路として、他のマイクロ波集積回路と容易に接続ができる。
このような静磁波発振装置を、例えば無線装置に用いるＦＰＵ等の装置内の基板１２に取付けて使用する際に、従来は磁極面１３の方向が前記基板１２に対し水平方向に取付ける構造としていた。
【０００６】
また、従来の静磁波発振装置に関する技術として例えば特許文献１〜特許文献３がある。
【０００７】
【特許文献１】特開平７−２１２１１２号公報
【特許文献２】特開平６−１２５２２１号公報
【特許文献３】特開２００１−２７４６２４号公報
【発明の開示】
【発明が解決しようとする課題】
【０００８】
上記従来技術においては、磁極面１３の方向が基板１２に対し水平方向に固定されているため基板１２に対し垂直方向の振動が生じた時、ギャップ長が変動し、発振周波数が変動するため、一定の発振周波数を得られないことが課題として挙げられる。
これに伴い、前記静磁波素子１に印加される磁界の強さが変動するため、発振周波数も変動してしまうという問題がある。
このことは特に、列車や自動車等の移動車両に搭載される無線装置に使用する静磁波発振装置の場合には、振動が上下方向（垂直方向）により強く作用することとなり、発振周波数の安定化に影響が大きくなってしまうという問題がある。
【０００９】
本発明は上記従来技術に鑑みて為されたもので、前述した問題点を解決し、基板１２の厚み方向に振動が生じた際（すなわち、磁極面１３に対し垂直方向の振動が生じた際）に、静磁波素子の磁極間のギャップ長の変動を減少させることにより安定した発振周波数を得ることを目的とする。
【課題を解決するための手段】
【００１０】
上記従来の問題点を解決するため第１の発明は、静磁波発振装置の内部に組み込まれている磁石の一方の極に付けた磁極片と、他方の極に外部ヨークを経由して接続した磁極片とを設け、これらの一方及び他方の磁極片の間にギャップを設けた静磁波発振装置であって、該静磁波発振装置を設置する基板の実装面に対して、前記磁極片の面が略垂直方向となるように前記基板に取り付けられることを特徴とする静磁波発振装置の取付方法であって、垂直方向の振動に対して、静磁波素子の発振周波数の変動を抑制することができ、安定した発振特性を得ることのできる静磁波発振装置の取付方法を提供することができる。
【００１１】
また、上記従来の問題点を解決するため第２の発明は、静磁波発振装置の内部に組み込まれている磁石の一方の極に付けた磁極片と、他方の極に外部ヨークを経由して接続した磁極片とを設け、これらの一方及び他方の磁極片の間にギャップを設けた静磁波発振装置と、該静磁波発振装置を設置する基板とより構成される無線装置であって、前記基板の実装面に対して、前記磁極片の面が略垂直方向となるように前記基板に取り付けられることを特徴とし無線装置であって、垂直方向の振動に対して、静磁波素子の発振周波数の変動を抑制することができ、安定した発振特性を得る静磁波発振装置を基板に実装した無線装置を提供することができる。
【００１２】
上記従来の問題点を解決するため第３の発明は、前記第２の発明の無線装置が、車両に搭載され、当該車両の移動による上下方向（垂直方向）の振動による前記ギャップの変動が生じ難いことを特徴とする無線装置である。
【発明の効果】
【００１３】
本発明によれば、静磁波発振装置の磁極面をこれを実装する基板の実装面に対し略垂直方向に取り付けることで当該基板に対し垂直方向の振動が生じた場合によるギャップ長の変動を減少し、発振周波数の変動を押さえることが可能となり、よって、静磁波発振装置の発振周波数の変動を抑制することができる。
【発明を実施するための最良の形態】
【００１４】
以下、本発明について、図面を参照しながら説明する。
図１は、本発明の実施の形態である静磁波発振装置の実施例を示す。
図１において、１は静磁波素子、２は発振回路基板 、３は磁極Ａ、４は磁極Ｂ、５は永久磁石、６はギャップ、７は励磁コイル、８は外部ヨーク、９は磁界、１０は銅板、１１はマイクロストリップライン、１２は基板である。
【００１５】
基板１２に対し磁極面１３を垂直方向に形成した永久磁石５により発生される磁界９（図中では模式的に複数の点線で表わす。）を、前記永久磁石５の一方の極に付けた磁極Ａ３と、前記永久磁石５の他極に外部ヨーク８を経由して付けた磁極Ｂ４との間のギャップ６（矢印が示す間隔）に集中させ、静磁波素子１を前記ギャップ６内の発振回路基板２上に配置し、前記静磁波素子１による発振信号を銅板１０を経由してマイクロストリップライン１１により取り出すことで静磁波発振装置を形成する。
【００１６】
すなわち、磁極Ａ３、磁極Ｂ４が左右に形成されているため垂直方向の振動に対して、磁極間のギャップ６の変動が小さく、安定した発振周波数を得ることができる。
このことは、静磁波発振素子を基板１２に対して垂直方向に設置することで常に磁極のギャップが垂直方向となり、垂直方向の振動に対して影響の少ない構造とすることができる。
【００１７】
図２は、本発明の実施の形態である静磁波発振装置を実装した実装基板の実施例を示す。
この図２は、基板１２上に本発明の実施例による静磁波発振装置を実装し、また、各種の高周波部品等の周辺回路を実装し、基板１２のマイクロストリップライン等のパターン線により必要な接続を行うことで無線装置の基板を構成するものである。
静磁波発振装置は基板１２の部品実装面に対して磁界の方向が垂直となるように設置しており、静磁波発振装置のマイクロストリップライン１１と、基板１２のマイクロストリップライン等のパターン線とがコネクタ等（図示せず）を介して接続される。
【００１８】
この実施例による実装基板は縦方向（図中に示す垂直の振動方向）の振動に対して、静磁波発振装置の磁界の方向が横方向（図中に示す磁界の方向）となるので、振動による磁極のギャップの変動が少なく、振動に対する影響が少ない構造とするものである。
このように静磁波発振装置を、例えば無線装置に用いるＦＰＵ等の基板に取付けて使用する際に、静磁波発振装置の磁極面の方向が当該基板に対して垂直方向に取付ける構造とすることにより、垂直方向の振動に対して影響の少ないＦＰＵ等の基板を実現することができる。
【００１９】
図３は、本発明の実施の形態である静磁波発振装置を組み込んだ車載無線機の実施例を示す。
この図３は、前述した図２の実装基板を筐体内に設置し、取付具にて例えば列車や自動車の床や天井に取り付ける。
そして、該列車や自動車の運転席に設置した操作部や表示部等、若しくは送受信アンテナと信号線や電源ライン等の各種ケーブルにて接続されて、必要な送受信を行う無線機の本体を構成する車載無線機となるものである。
【００２０】
この実施例のような車載無線機は、当該車両の移動による振動方向が図中に示す垂直方向の振動が多くなってしまうため、本実施例に示すように静磁波発振装置の磁極面１３の方向が垂直方向となる構成とすることにより、上下方向（垂直方向）の振動に対する影響を少なくすることができる。
【００２１】
特に、取付具が床や天井の面（床面や天井面）にネジ止めされ、若しくは、勘合構造により取り付けられる場合、車両の移動により当該車両が地面と接する車輪やタイヤが垂直方向の振動を伝えてしまう。
そこで、静磁波発振装置の磁極面１３の方向が垂直方向となる（すなわち、磁界の方向が水平方向となる）ように無線装置の基板を構成することで、車両の移動などによる上下方向の振動に対して、磁極のギャップの変動が少なくすることができる。
【００２２】
以上、詳細に説明したように本発明の実施例においては、静磁波発振装置の磁極面１３を前記基板１２に対し垂直方向にすることで前記基板１２に対し垂直方向の振動が生じた時、磁極間のギャップ長の変動を減少させることが可能となる。
【００２３】
また、本発明の実施例においては、静磁波発振装置の磁極間のギャップを静磁波発振装置を使用する装置に対し垂直に取付けることで、静磁波発振装置を使用する装置に対して上下方向（垂直方向）の振動が加わった時、磁極間のギャップ長の変動を減少させることができ、発振周波数の変動を押さえることを可能とした静磁波発振装置の取付け方法とすることができる。
【００２４】
上記したように本発明は、静磁波発振装置の内部に組みまれている磁石の一方の極に付けた磁極片と、他方の極に外部ヨークを経由して接続した磁極片とを設け、これらの一方及び他方の磁極片の間にギャップを設けた静磁波発振装置を使用する装置に対し略垂直方向に取付ける方法を提供するものである。
さらに本発明は、静磁波発振装置を使用する装置に対し静磁波発振装置の磁極間のギャップを略垂直方向にすることで静磁波発振装置を使用する装置に対し上下方向（すなわち、垂直方向）の振動が加わった時、磁極間のギャップ長の変動を減少させることである。
さらにまた本発明は、静磁波発振装置の静磁波発振部を略垂直方向にすることで静磁波発振部の磁極間のギャップを略垂直方向に設ける構造とすることである。
【００２５】
上記したように本発明によれば、静磁波発振装置が、従来であれば垂直方向の振動により磁極間空隙の距離が変動しやすく、そのため静磁波素子に印加される磁界の強さが変動してしまい、そのために発振周波数も変動し一定に保つことができないという問題を解決し、発振周波数の変動を抑制することが可能となる。
また、本発明の実施例である静磁波発振装置を実装したＦＰＵ等の無線基板は、従来の製造工程に対して、静磁波発振装置を９０度回転してパターン接続する工程が追加されるのみであるため、従来の製造工程を大きく変更することなく実現することができる。
【図面の簡単な説明】
【００２６】
【図１】本発明の実施の形態である静磁波発振装置の実施例。
【図２】本発明の実施の形態である静磁波発振装置を実装した実装基板の実施例。
【図３】本発明の実施の形態である静磁波発振装置を組み込んだ車載無線機の実施例。
【図４】従来の静磁波発振装置の一例。
【符号の説明】
【００２７】
１：静磁波素子、２：発振回路基板 、３：磁極Ａ、４：磁極Ｂ、５：永久磁石、６：ギャップ（空隙）、７：励磁コイル、８：外部ヨーク、９：磁界（磁界を模式的に複数の点線で表わしたもの）、１０：銅板、１１：マイクロストリップライン、１２：基板、１３：磁極面、１４：上部磁極、１５：下部磁極。
【図１】
2005191754.tif 000003
【図２】
2005191754.tif 000004
【図３】
2005191754.tif 000005
【図４】
2005191754.tif 000006